(57)【要約】      （修正有）【課題】シャッタが閉塞した状態からの意図しない開放を防止するシャッタ開閉装置および媒体授受装置を提供する。【解決手段】現金自動預払機のシャッタ開閉部２０は、上下方向に沿った上下移動区間及び前後方向に沿った前後移動区間を有する上ガイド溝２２Ｄをガイドフレーム２２に形成し、シャッタ板２１の上端近傍に取り付けたリンク移動スタッド２７を当該上ガイド溝２２Ｄに沿って移動させるようにした。シャッタ開閉部２０は、カード処理ユニット１１が後方へ移動した際、リンク移動スタッド２７を上下移動区間に沿って下降させた後、前後移動区間に沿って後方へ移動させることで本閉塞状態に遷移し、シャッタ板２１の移動可能な方向を前方向のみに制限する。【選択図】図１１
2015176290.tif 000002
【特許請求の範囲】
【請求項１】
利用者が対峙する対峙面を有する対峙パネルに形成され前記対峙面側とその反対側である背面側との間を貫通する貫通孔の少なくとも一部を閉塞する閉塞状態、又は当該貫通孔を開放する開放状態に遷移するシャッタと、
前記対峙パネルにおける前記背面側の近傍である授受位置に位置する場合に前記貫通孔を介して前記利用者との間で所定の媒体を授受し、前記授受位置又は前記授受位置から離隔された位置へ移動される媒体授受部が、前記授受位置にあるときには前記シャッタを開放状態に遷移させ、前記媒体授受部が前記授受位置から離隔される場合には前記シャッタを閉塞状態に遷移させる連動部と、
前記連動部に設けられ、前記シャッタが前記閉塞状態から前記開放状態へ遷移される際に、当該シャッタを前記背面から前記対峙面へ向かう手前方向へ移動させてから前記開放状態へ遷移させるよう制限する制限部と
を具えることを特徴とするシャッタ開閉装置。
【請求項２】
前記制限部は、前記シャッタが前記閉塞状態から前記開放状態に遷移される際、当該シャッタを前記手前方向へ移動させてから当該手前方向と交差する交差方向へ移動させて前記開放状態に遷移させるよう制限する
ことを特徴とする請求項１に記載のシャッタ開閉装置。
【請求項３】
前記連動部は、
前記対峙パネルに固定されたガイドフレームと、
前記ガイドフレームに設けられたガイド溝と、
前記ガイド溝に沿って前記シャッタと一体に移動するスタッドと
をさらに具え、
前記ガイド溝は、
前記交差方向に沿った交差方向移動区間と、
前記交差方向移動区間と連通し、前記手前方向と反対の奥行方向に沿った奥行方向移動区間と
をさらに具えることを特徴とする請求項２に記載のシャッタ開閉装置。
【請求項４】
前記交差方向は、上方向であり、
前記シャッタは、前記開放状態から前記閉塞状態に遷移する際、重力を利用して下降する
ことを特徴とする請求項３に記載のシャッタ開閉装置。
【請求項５】
前記スタッドは、前記シャッタが前記閉塞状態であるときに前記ガイド溝内で最も低い位置にある
ことを特徴とする請求項４に記載のシャッタ開閉装置。
【請求項６】
前記連動部は、前記媒体授受部から離れているときに、前記スタッドに対して前記奥行方向に向かう力を作用させる
ことを特徴とする請求項５に記載のシャッタ開閉装置。
【請求項７】
利用者が対峙する対峙面を有する対峙パネルと、
前記対峙パネルに形成され、前記対峙面側とその反対側である背面側との間を貫通する貫通孔と、
前記対峙パネルにおける前記背面側の近傍である授受位置に位置する場合に、前記貫通孔を介して前記利用者との間で所定の媒体を授受する媒体授受部と、
前記媒体授受部を前記授受位置又は前記授受位置から離隔された位置へ移動させる移動部と、
前記貫通孔の少なくとも一部を閉塞する閉塞状態又は当該貫通孔を開放する開放状態に遷移するシャッタと、
前記媒体授受部が前記授受位置にあるときには前記シャッタを開放状態に遷移させ、前記媒体授受部が前記授受位置から離隔される場合には前記シャッタを閉塞状態に遷移させる連動部と、
前記連動部に設けられ、前記シャッタが前記閉塞状態から前記開放状態へ遷移される際に、当該シャッタを前記背面から前記対峙面へ向かう手前方向へ移動させてから前記開放状態へ遷移させるよう制限する制限部と
を具えることを特徴とする媒体授受装置。
【発明の詳細な説明】
【技術分野】
【０００１】
本発明はシャッタ開閉装置及び媒体授受装置に関し、例えば利用者に要求された紙幣等の媒体を繰り出して所望の取引を行う現金自動預払機（ＡＴＭ）に適用して好適なものである。
【背景技術】
【０００２】
従来、金融機関等で使用される現金自動預払機等においては、利用者との取引内容に応じて、例えば利用者に紙幣や硬貨等の現金を入金させ、また利用者へ現金を出金するものが広く普及している。
【０００３】
現金自動預払機には、キャッシュカードから磁気情報を読み出すカード処理ユニットや、通帳から磁気情報を読み出し、また取引の履歴を記録する通帳処理ユニット等が設けられている。この現金自動預払機は、入金取引や出金取引が行われる場合、例えば利用者にキャッシュカードをカード処理ユニットに挿入させ、当該カード処理ユニットにおいて当該キャッシュカードから磁気情報を読み出すことにより、利用者の口座番号等を特定する。
【０００４】
また現金自動預払機としては、設置場所に制約があるなかで保守作業の効率化を図る観点等から、保守作業等が行われる際に、外周面を保護する筐体を残し、内部のカード処理ユニット等を後方へ引き出し得るように構成されたものがある。
【０００５】
しかしながらこの現金自動預払機では、内部のカード処理ユニット等が後方へ引き出された場合、筐体に設けられたカード挿入口がそのまま残っており、利用者が誤ってこのカード挿入口にキャッシュカード等を挿入しようとして筐体内へ落下させるおそれがある。そこで現金自動預払機のなかには、カード処理ユニットの前後方向への移動に連動して、カード挿入口をシャッタにより開閉するものが提案されている（例えば、特許文献１参照）。
【先行技術文献】
【特許文献】
【０００６】
【特許文献１】特開２００５−１４１６１８号公報（第１図）
【発明の概要】
【発明が解決しようとする課題】
【０００７】
しかしながら、かかる構成の現金自動預払機では、利用者が誤解等によって、指先等によりシャッタを開放させ、キャッシュカード等をカード挿入口に挿入する場合がある、という問題があった。
【０００８】
本発明は以上の点を考慮してなされたもので、シャッタが閉塞した状態からの意図しない開放を防止するシャッタ開閉装置及び媒体授受装置を提案しようとするものである。
【課題を解決するための手段】
【０００９】
かかる課題を解決するため本発明のシャッタ開閉装置においては、利用者が対峙する対峙面を有する対峙パネルに形成され対峙面側とその反対側である背面側との間を貫通する貫通孔の少なくとも一部を閉塞する閉塞状態、又は当該貫通孔を開放する開放状態に遷移するシャッタと、対峙パネルにおける背面側の近傍である授受位置に位置する場合に貫通孔を介して利用者との間で所定の媒体を授受し、授受位置又は授受位置から離隔された位置へ移動される媒体授受部が、授受位置にあるときにはシャッタを開放状態に遷移させ、媒体授受部が授受位置から離隔される場合にはシャッタを閉塞状態に遷移させる連動部と、連動部に設けられ、シャッタが閉塞状態から開放状態へ遷移される際に、当該シャッタを背面から対峙面へ向かう手前方向へ移動させてから開放状態へ遷移させるよう制限する制限部とを設けるようにした。
【００１０】
また本発明の媒体授受装置においては、利用者が対峙する対峙面を有する対峙パネルと、対峙パネルに形成され、対峙面側とその反対側である背面側との間を貫通する貫通孔と、対峙パネルにおける背面側の近傍である授受位置に位置する場合に、貫通孔を介して利用者との間で所定の媒体を授受する媒体授受部と、媒体授受部を授受位置又は授受位置から離隔された位置へ移動させる移動部と、貫通孔の少なくとも一部を閉塞する閉塞状態又は当該貫通孔を開放する開放状態に遷移するシャッタと、媒体授受部が授受位置にあるときにはシャッタを開放状態に遷移させ、媒体授受部が授受位置から離隔される場合にはシャッタを閉塞状態に遷移させる連動部と、連動部に設けられ、シャッタが閉塞状態から開放状態へ遷移される際に、当該シャッタを背面から対峙面へ向かう手前方向へ移動させてから開放状態へ遷移させるよう制限する制限部とを設けるようにした。
【００１１】
これにより、媒体授受部を授受位置から離隔させるだけで、連動部によりシャッタを移動させて貫通孔を閉塞した閉塞状態に遷移でき、利用者により対峙パネルの対峙面側からシャッタに対し開放状態へ遷移させる方向へ力が加えられたとしても、手前方向以外へのシャッタの移動を制限して閉塞状態を維持できる。
【発明の効果】
【００１２】
本発明によれば、貫通孔をシャッタにより閉塞した閉塞状態において、利用者によりシャッタに対し開放状態へ遷移させる方向へ力が加えられた際、手前方向以外への移動を制限して閉塞状態を維持できる。かくして本発明は、シャッタが閉塞した状態からの意図しない開放を防止するシャッタ開閉装置及び媒体授受装置を実現できる。
【図面の簡単な説明】
【００１３】
【図１】現金自動預払機の構成を示す略線的斜視図である。
【図２】接客パネルの構成を示す略線図である。
【図３】カード処理ユニットの移動を示す略線図である。
【図４】接客パネルに対するシャッタ開閉部の取付を示す略線的斜視図である。
【図５】シャッタ開閉部の構成を示す略線的斜視図である。
【図６】シャッタ開閉部の構成を示す略線的斜視図である。
【図７】ガイドフレームの構成を示す略線図である。
【図８】シャッタ開閉部の開閉動作（１）を示す略線図である。
【図９】シャッタ開閉部の開閉動作（２）を示す略線図である。
【図１０】シャッタ開閉部の開閉動作（３）を示す略線図である。
【図１１】シャッタ開閉部の開閉動作（４）を示す略線図である。
【図１２】従来のシャッタ開閉部の構成を示す略線図である。
【図１３】他の実施の形態によるシャッタ開閉部の構成を示す略線図である。
【図１４】他の実施の形態によるシャッタ開閉部の構成を示す略線図である。
【発明を実施するための形態】
【００１４】
以下、発明を実施するための形態（以下実施の形態とする）について、図面を用いて説明する。
【００１５】
［１．現金自動預払機の全体構成］
図１に外観を示すように、現金自動預払機１は、箱状の筐体２を中心に構成されており、例えば金融機関等に設置され、利用者との間で入金取引や出金取引等の現金に関する取引を行うようになっている。また以下では、現金自動預払機１のうち利用者が対峙する正面側を前側とし、その反対を後側とし、当該前側に対峙した利用者から見て左及び右をそれぞれ左側及び右側とし、さらに上側及び下側を定義して説明する。
【００１６】
筐体２は、その前側に利用者が対峙した状態で紙幣の投入やタッチパネルによる操作等をしやすい箇所、すなわち前面の上部から上面に渡る部分が一部切り落とされたような形状となっており、この部分に接客部３が配置されている。接客部３は、利用者と接する部分であり、利用者との間で紙幣や硬貨及び通帳やキャッシュカード等のやりとりを行い、また利用者に情報を提示すると共に利用者からの操作指示を受け付ける。
【００１７】
この接客部３は、筐体２における前面の上部から上面に渡る部分を覆う接客パネル１０を中心に構成されている。接客パネル１０は、左方向から見て略Ｌ字状に屈曲された板状に形成されている。また接客パネル１０は、上側部分を占める上部接客パネル１０Ｕ及び下側部分を占める下部接客パネル１０Ｌのそれぞれに、板面を前後方向若しくは上下方向に貫通する貫通孔が適宜形成されている。
【００１８】
図２に示すように、上部接客パネル１０Ｕには、カード入出口４及び通帳入出口５が設けられている。カード入出口４は、キャッシュカード等の各種カードが挿入または排出される部分である。カード入出口４の奥側には、各種カードに磁気記録された口座番号等の読取を行うカード処理ユニット１１が設けられている。通帳入出口５は、通帳が挿入または排出される部分である。通帳入出口５の奥側には、通帳に記録された磁気情報の読取や取引内容の印字処理等を行う通帳処理ユニット１２が設けられている。
【００１９】
下部接客パネル１０Ｌには、紙幣入出金口６、硬貨入出金口７及び表示操作部８が設けられている。紙幣入出金口６は、利用者が入金する紙幣が投入されると共に、利用者へ出金する紙幣が排出される部分である。硬貨入出金口７は、利用者が入金する硬貨が投入されると共に、利用者へ出金する硬貨が排出される部分である。表示操作部８は、取引に際して操作画面を表示するＬＣＤ（Liquid Crystal Display）と、取引の種類の選択、暗証番号や取引金額等を入力するタッチセンサとが一体化されたタッチパネルとなっている。
【００２０】
主制御部９（図１）は、図示しないＣＰＵ（Central Processing Unit）を中心に構成され、図示しないＲＯＭやフラッシュメモリ等から所定のプログラムを読み出して実行することにより、入金取引や出金取引等の種々の処理を行う。また主制御部９は、内部にＲＡＭ（Random Access Memory）、ハードディスクドライブやフラッシュメモリ等でなる記憶部を有し、この記憶部に各種プログラム等の種々の情報を記憶させる。
【００２１】
また図３（Ａ）及び（Ｂ）に模式的な側面図を示すように、筐体２の内部には、カード処理ユニット１１がスライドレール１１Ｒを介して取り付けられている。スライドレール１１Ｒは、筐体２に対しカード処理ユニット１１を前後方向へ移動させ得るようになっている。カード処理ユニット１１は、現金自動預払機１が運用状態にあり利用者との間で各種取引を行う場合、図３（Ａ）に示すように、筐体２の内部に収納され、その前端をカード入出口４の後側直近に位置させる。以下、このときのカード処理ユニット１１の位置を運用位置と呼ぶ。
【００２２】
カード処理ユニット１１は、運用位置にあるとき、利用者によってキャッシュカードがカード入出口４に挿入されると、このキャッシュカードを内部に引き込み、磁気情報の読み取り処理等を行う。またカード処理ユニット１１は、キャッシュカードを利用者に返却する際、カード入出口４から当該キャッシュカードの前端側を一部露出させた状態に保持して、利用者に確実に把持させた上で引き抜かせる。
【００２３】
またカード処理ユニット１１は、現金自動預払機１において保守作業等が行われる場合、筐体２の後面側に設けられた後扉２Ｂが開放された上で、図３（Ｂ）に示すように、スライドレール１１Ｒにより筐体２の後方へ引き出され、その前端をカード入出口４から離れた箇所に位置させる。
【００２４】
因みに通帳処理ユニット１２（図２）は、カード処理ユニット１１と同様、図示しないスライドレールにより筐体２に対し前後方向へ移動し得るようになっている。
【００２５】
このように現金自動預払機１は、筐体２に対しカード処理ユニット１１を前後方向へ移動させることにより、接客パネル１０に設けられたカード入出口４とカード処理ユニット１１の前端との距離を変化させるようになっている。
【００２６】
［２．シャッタ開閉部の構成］
ところで接客パネル１０におけるカード入出口４の後側には、図４に示すように、当該カード入出口４を開放又は閉塞するシャッタ開閉部２０が取り付けられている。このシャッタ開閉部２０は、図５及び図６に示すように、シャッタ板２１、２個のガイドフレーム２２、アップリンク２３、２個の回動スタッド２４、２個のリンク体２５、２個のリンク回動スタッド２６及び２個のリンク移動スタッド２７により構成されている。因みに図５は各部品を組み立てた状態を表しており、図６は各部品を分解した状態を表している。
【００２７】
シャッタ板２１は、前後方向に薄い板状に形成された板状部２１Ａを中心に構成されている。板状部２１Ａは、左右方向に長く上下方向に短い長方形状に形成されており、上下方向及び左右方向の長さが、接客パネル１０のカード入出口４（図２）における上下方向及び左右方向の長さよりも長くなっている。
【００２８】
シャッタ板２１の左右両端には、左右方向に薄い板状の側板部２１Ｂが後方へ向けてそれぞれ垂設されている。各側板部２１Ｂの上端近傍には、小さな丸孔でなるスタッド受け孔２１Ｃが左右方向に貫通するようにそれぞれ穿設されている。また各側板部２１Ｂの下端近傍には、中心軸を左右方向に向けた小さな円柱状の下スタッド２１Ｄが、左右の外方へ向けてそれぞれ立設されている。
【００２９】
ガイドフレーム２２は、左右方向に薄く上下方向に細長い平板状に形成された本体部２２Ａを中心に構成されている。本体部２２Ａの前側上端及び下端には、前後方向に薄い小さな板状の取付板２２Ｂ及び２２Ｃが、それぞれ左方向へ向けて立設されている。この取付板２２Ｂ及び２２Ｃにおける下辺には、上方へ向けて略Ｕ字状の切欠が形成されており、ねじ穴として機能するようになっている。
【００３０】
因みに取付板２２Ｂ及び２２Ｃは、接客パネル１０の後面に対向した状態で所定の取付ねじ等により当該接客パネル１０にねじ止めされることで、ガイドフレーム２２全体を当該接客パネル１０に固定するようになっている。
【００３１】
図７に側面図を示すように、本体部２２Ａの上側には、主に上下方向に沿った長孔でなる上ガイド溝２２Ｄが穿設されている。上ガイド溝２２Ｄは、ほぼ上下方向に沿って比較的長い直線状に形成された上下移動区間２２Ｄ１と、当該上下移動区間２２Ｄ１における下端から後方へ向けて比較的短い直線状に形成された前後移動区間２２Ｄ２とにより構成されている。
【００３２】
また本体部２２Ａの下側には、主に上下方向に沿った長孔でなる下ガイド溝２２Ｅが穿設されている。下ガイド溝２２Ｅは、下側部分においてほぼ上下方向に沿った直線状に形成される一方、上側部分において上ガイド溝２２Ｄとの間にある程度の間隔を空けるように、前方へ湾曲している。因みに下ガイド溝２２Ｅは、上側部分を湾曲させて上ガイド溝２２Ｄから引き離すことで、本体部２２Ａの強度を確保している。
【００３３】
この下ガイド溝２２Ｅは、シャッタ板２１の下スタッド２１Ｄがそれぞれ挿通されることで、当該下ガイド溝２２Ｅに沿ってシャッタ板２１の下端近傍を主に上下方向へ移動させ、また当該下スタッド２１Ｄを中心にシャッタ板２１の傾斜角度を変化させることができる。
【００３４】
さらに本体部２２Ａの下端近傍、すなわち下ガイド溝２２Ｅのやや下方には、丸孔でなる回動孔２２Ｆが左右方向に貫通するように穿設されている。因みにガイドフレーム２２は、例えば十分な厚さを有する鋼板に対し切削及び屈曲等の加工を施すことによって製造されており、外力に対し容易に変形しないような十分な強度を有している。
【００３５】
アップリンク２３（図５及び図６）は、左右方向に細長い連結部２３Ａを中心に構成されている。連結部２３Ａは、図５及び図６に示した状態で上下方向に薄く左右方向に細長い棒状ないし板状に形成されており、その左右両端から前方へ向けてアーム部２３Ｂがそれぞれ延接されている。
【００３６】
各アーム部２３Ｂは、図５及び図６に示した状態で前後方向に細長く左右方向に薄い棒状ないし板状に形成され、その前端近傍に左右方向に貫通し丸孔でなる回動孔２３Ｃがそれぞれ穿設されている。また各アーム部２３Ｂは、前後の中央近傍に、左右方向に貫通し丸孔でなるリンク孔２３Ｄがそれぞれ穿設されている。さらに連結部２３Ａの右端近傍には、図５及び図６に示した状態で後方に向けて、カード処理ユニット１１（図３）と接触する接触部２３Ｅが突設されている（詳しくは後述する）。
【００３７】
各回動スタッド２４は、中心軸を左右方向に向けた小さな円柱状でなる柱状部と、当該柱状部の一端に取り付けられた小さな円板状でなる板状部とにより構成される。この回動スタッド２４は、その柱状部がガイドフレーム２２の回動孔２２Ｆ及びアップリンク２３の回動孔２３Ｃに挿通され、当該柱状部の先端側、すなわち板状部と反対の先端側に所定の抜止部材（図示せず）が取り付けられることで、回動軸として機能し、ガイドフレーム２２に対しアップリンク２３を自在に回動させることができる。
【００３８】
各リンク体２５は、図５及び図６に示した状態で、左右方向に薄く、且つ前上方と後下方とを結ぶ斜め方向に沿った細長い棒状ないし板状に形成されており、その前上端近傍及び後下端近傍に、左右方向に貫通する丸孔でなるリンク孔２５Ａ及び２５Ｂがそれぞれ穿設されている。
【００３９】
各リンク回動スタッド２６は、回動スタッド２４と同様、中心軸を左右方向に向けた小さな円柱状でなる柱状部と、当該柱状部の一端に取り付けられた小さな円板状でなる板状部とにより構成される。このリンク回動スタッド２６は、その柱状部分がリンク体２５のリンク孔２５Ａ及びアップリンク２３のリンク孔２３Ｄに挿通され、当該柱状部の先端側、すなわち板状部と反対の先端側に所定の抜止部材（図示せず）が取り付けられる。これによりリンク回動スタッド２６は、回動軸として機能し、アップリンク２３に対しリンク体２５を自在に回動させることができる。
【００４０】
各リンク移動スタッド２７は、回動スタッド２４と同様、中心軸を左右方向に向けた小さな円柱状でなる柱状部と、当該柱状部の一端に取り付けられた小さな円板状でなる板状部とにより構成される。このリンク移動スタッド２７は、その柱状部分がガイドフレーム２２の上ガイド溝２２Ｄ、リンク体２５のリンク孔２５Ｂ及びシャッタ板２１のスタッド受け孔２１Ｃに順次挿通され、当該柱状部の先端側、すなわち板状部と反対の先端側に所定の抜止部材（図示せず）が取り付けられる。因みにリンク移動スタッド２７における柱状部の直径は、上ガイド溝２２Ｄの溝幅並びにリンク孔２５Ｂ及びスタッド受け孔２１Ｃの孔径よりも僅かに小さくなっている。
【００４１】
このためリンク移動スタッド２７は、シャッタ板２１に対しリンク体２５を自在に回動させる回動軸として機能すると共に、上ガイド溝２２Ｄに沿ってシャッタ板２１の上端近傍及びリンク体２５の前上端をそれぞれ自在に移動させる移動軸として機能することができる。これによりシャッタ板２１は、リンク移動スタッド２７及び下スタッド２１Ｄを上ガイド溝２２Ｄ及び下ガイド溝２２Ｅに沿ってそれぞれ摺動させることにより、主に上下方向に移動することができる。
【００４２】
かかる構成によりシャッタ開閉部２０は、アップリンク２３がガイドフレーム２２の回動孔２２Ｆ及び回動スタッド２４を中心に回動すると、リンク回動スタッド２６、リンク体２５及びリンク移動スタッド２７を介してシャッタ板２１に力が伝達される。
【００４３】
例えばシャッタ開閉部２０は、アップリンク２３の接触部２３Ｅがガイドフレーム２２から離れる方向へ回動すると、シャッタ板２１を下方へ移動させることになる。またシャッタ開閉部２０は、アップリンク２３の接触部２３Ｅがガイドフレーム２２へ近づく方向へ回動すると、シャッタ板２１を上方へ移動させることになる。
【００４４】
これを換言すれば、シャッタ開閉部２０は、ガイドフレーム２２、アップリンク２３、回動スタッド２４、リンク体２５、リンク回動スタッド２６及びリンク移動スタッド２７を互いに連動させることにより、シャッタ板２１を上下方向へ移動させることができる。以下では、説明の都合上、ガイドフレーム２２、アップリンク２３、回動スタッド２４、リンク体２５、リンク回動スタッド２６及びリンク移動スタッド２７をまとめて連動部２８と呼ぶ。
【００４５】
このようにシャッタ開閉部２０は、各部品が回動若しくは移動可能に組み付けられており、またガイドフレーム２２の上ガイド溝２２Ｄ及び下ガイド溝２２Ｅに沿ってシャッタ板２１の上端近傍及び下端近傍をそれぞれ移動させ得るようになっている。
【００４６】
［３．シャッタ開閉動作］
次に、シャッタ開閉部２０におけるシャッタ板２１を上下方向へ移動させる動作、すなわちシャッタ開閉動作について説明する。図４に示したように、シャッタ開閉部２０は、接客パネル１０におけるカード入出口４の後側にガイドフレーム２２が取り付けられることで、当該接客パネル１０に取り付けられている。
【００４７】
図３（Ａ）に示したようにカード処理ユニット１１が運用位置にあり、筐体２内に収納され最も前寄りに位置している場合、シャッタ開閉部２０は、図８に示すように、アップリンク２３の接触部２３Ｅをカード処理ユニット１１の前端に設けられたカム部１１Ｃに当接させている。
【００４８】
このときアップリンク２３は、自らに重力が作用すること及びシャッタ板２１に作用する重力がリンク体２５を介して伝達されることにより、ガイドフレーム２２の回動孔２２Ｆを中心に上端側を後下方へ倒す方向に回動しようとして、接触部２３Ｅをカード処理ユニット１１のカム部１１Ｃに当接させ続ける。これを換言すれば、アップリンク２３は、カード処理ユニット１１のカム部１１Ｃにより接触部２３Ｅを介して後方から支えられ、アーム部２３Ｂの長手方向をほぼ垂直に向けた状態となる。
【００４９】
またこのときリンク体２５は、アップリンク２３によりリンク回動スタッド２６を介してリンク孔２５Ａが比較的上方へ持ち上げられているため、長手方向に関し反対側のリンク孔２５Ｂに挿通されたリンク移動スタッド２７を、上ガイド溝２２Ｄ内における上端近傍に位置させている。
【００５０】
これに伴いシャッタ板２１は、その上端部分が上ガイド溝２２Ｄの上端近傍に位置し、且つその下端部分が下ガイド溝２２Ｅ（図５、図６及び図７）における上端近傍に位置している。このためシャッタ板２１は、カード入出口４よりも上方に位置し、当該カード入出口４を開放した状態にある。以下、シャッタ開閉部２０におけるこの状態を開放状態とも呼ぶ。
【００５１】
次に、保守作業等が行われる際に、カード処理ユニット１１が図８に示した運用位置からやや後方へ移動された場合を想定する。このときシャッタ開閉部２０は、図８と対応する図９に示すように、アップリンク２３に作用する重力により、開放状態から引き続きアップリンク２３の接触部２３Ｅをカード処理ユニット１１のカム部１１Ｃに当接させたまま、当該アップリンク２３の上端を後下方へ倒すように矢印Ｒ１方向へ回動させていく。
【００５２】
またリンク体２５は、アップリンク２３によりリンク回動スタッド２６を介してリンク孔２５Ａが後下方へ引き下げられていくため、下端を後方へ向けるように傾斜しながら、リンク孔２５Ｂに挿通されたリンク移動スタッド２７を上ガイド溝２２Ｄの上下移動区間２２Ｄ１（図７）内において下方へ移動させる。
【００５３】
これに伴いシャッタ板２１は、その上端部分が上ガイド溝２２Ｄの上下移動区間２２Ｄ１に沿って下降し、且つ下端の下スタッド２１Ｄ（図５及び図６）が下ガイド溝２２Ｅ（図５、図６及び図７）に沿って下降するため、開放状態（図８）よりも下方に位置し、カード入出口４の上側を一部閉塞した状態にある。以下、これを中間状態と呼ぶ。
【００５４】
今度は、カード処理ユニット１１が図９に示した位置から筐体２内でさらに後方へ移動された場合を想定する。このときシャッタ開閉部２０は、図８及び図９と対応する図１０に示すように、アップリンク２３に作用する重力により、中間状態から引き続きアップリンク２３の接触部２３Ｅをカード処理ユニット１１のカム部１１Ｃに当接させたまま、当該アップリンク２３の上端をさらに後下方へ倒すように矢印Ｒ１方向へ回動させていく。
【００５５】
またリンク体２５は、アップリンク２３によりリンク回動スタッド２６を介してリンク孔２５Ａがさらに後下方へ引き下げられていくため、下端を後方へ向けるようにさらに傾斜しながら、リンク孔２５Ｂに挿通されたリンク移動スタッド２７を上ガイド溝２２Ｄの上下移動区間２２Ｄ１（図７）内において下端まで移動させる。
【００５６】
これに伴いシャッタ板２１は、その上端部分が上ガイド溝２２Ｄの上下移動区間２２Ｄ１における下端に到達し、且つ下端の下スタッド２１Ｄ（図５及び図６）が下ガイド溝２２Ｅ（図５、図６及び図７）内おける下端に到達するため、カード入出口４を閉塞した状態にある。以下、シャッタ開閉部２０におけるこの状態を仮閉塞状態と呼ぶ。
【００５７】
最後に、カード処理ユニット１１が図１０に示した位置からさらに後方へ移動された場合を想定する。このときシャッタ開閉部２０は、図８〜図１０と対応する図１１に示すように、アップリンク２３に作用する重力により、仮閉塞状態よりも接触部２３Ｅをさらに後下方へ下降させて矢印Ｒ１方向へ回動しようとする。
【００５８】
このときリンク移動スタッド２７は、アップリンク２３の後下方へ回動しようとする力がリンク回動スタッド２６及びリンク体２５を介して伝達されるため、上ガイド溝２２Ｄの前後移動区間２２Ｄ２内を後方へ移動するものの、間もなくその後端に到達し、後方への移動が規制される。これによりリンク体２５は、リンク回動スタッド２６を介してアップリンク２３の後下方への回動を規制して静止させ、接触部２３Ｅをカード処理ユニット１１から引き離す。
【００５９】
ここで上ガイド溝２２Ｄの前後移動区間２２Ｄ２は、前後方向に沿って形成されている。このためリンク移動スタッド２７は、仮にリンク体２５やシャッタ板２１等を介して前方向以外の各方向、すなわち後方向、上方向、下方向、左方向及び右方向の何れへ向かう力が加えられたとしても変位せず、シャッタ板２１を開放させない。以下、この状態を本閉塞状態と呼ぶ。
【００６０】
一方、カード処理ユニット１１が図１１に示した状態から前方へ移動された場合、前端のカム部１１Ｃがアップリンク２３の接触部２３Ｅに近接していき、やがて当接する。このとき本閉塞状態にあるシャッタ開閉部２０は、カム部１１Ｃから接触部２３Ｅに対し前方に向かう力が加えられるため、接触部２３Ｅを前上方へ押し上げるようにして、アップリンク２３を矢印Ｒ２方向へ回動させていく。
【００６１】
このときリンク体２５は、アップリンク２３からリンク回動スタッド２６を介して前上方へ向かう力が伝達されることにより、リンク孔２５Ｂに挿通されたリンク移動スタッド２７に対し前上方へ向かう力を作用させる。これによりリンク移動スタッド２７は、上ガイド溝２２Ｄの前後移動区間２２Ｄ２に沿って前方へ移動し、その前端、すなわち前後移動区間２２Ｄ２と上下移動区間２２Ｄ１との接合部分に到達した段階で、仮閉塞状態（図１０）に戻る。
【００６２】
続いてカード処理ユニット１１がさらに前方へ移動された場合、前端のカム部１１Ｃがアップリンク２３の接触部２３Ｅをさらに前上方へ押し上げるようにして、アップリンク２３をさらに矢印Ｒ２方向へ回動させていく。
【００６３】
このときリンク体２５は、アップリンク２３からリンク回動スタッド２６を介して前上方へ向かう力が伝達されることにより、リンク孔２５Ｂに挿通されたリンク移動スタッド２７に対し前上方へ向かう力を作用させる。これによりリンク移動スタッド２７は、上ガイド溝２２Ｄの上下移動区間２２Ｄ１に沿って上方へ移動し、シャッタ板２１を上方へ持ち上げてカード入出口４を徐々に開放していく。これによりシャッタ開閉部２０は、やがて中間状態（図９）となる。
【００６４】
その後カード処理ユニット１１が運用位置、すなわち筐体２内の最も前方に到達すると、当該カード処理ユニット１１からアップリンク２３及びリンク体２５を介して伝達された力により、リンク移動スタッド２７が上ガイド溝２２Ｄの上下移動区間２２Ｄ１内における上端近傍に到達する。このときシャッタ開閉部２０は、シャッタ板２１をカード入出口４よりも上方に位置させた開放状態（図８）に戻り、利用者による当該カード入出口４を介したカード処理ユニット１１へのキャッシュカードの挿入を許容する。
【００６５】
このようにシャッタ開閉部２０は、カード処理ユニット１１の前後方向への移動に伴いアップリンク２３を回動させ、リンク体２５を介して力を伝達することにより、シャッタ板２１をガイドフレーム２２の上ガイド溝２２Ｄ及び下ガイド溝２２Ｅに沿って主に上下方向へ移動させ、カード入出口４を開放又は閉塞する。
【００６６】
［４．動作及び効果］
以上の構成において、現金自動預払機１のシャッタ開閉部２０は、ガイドフレーム２２に形成する上ガイド溝２２Ｄを、上下方向に沿った上下移動区間２２Ｄ１及び前後方向に沿った前後移動区間２２Ｄ２により構成した（図７）。またシャッタ開閉部２０は、リンク移動スタッド２７により上ガイド溝２２Ｄ、シャッタ板２１のスタッド受け孔２１Ｃ及びリンク体２５のリンク孔２５Ａを挿通させ、当該上ガイド溝２２Ｄに沿ってリンク移動スタッド２７を移動させるようにした。
【００６７】
ここで、本実施の形態との比較用に、従来のシャッタ開閉部４０を図１２に示す。従来のシャッタ開閉部４０は、本実施の形態によるシャッタ開閉部２０と比較して、ガイドフレーム２２に代わるガイドフレーム４２が用いられている点において相違する。この従来のガイドフレーム４２は、上ガイド溝４２Ｄが上下方向に沿った直線状の部分のみにより構成されている。このため従来のシャッタ開閉部４０は、この図１２に示したように、リンク移動スタッド２７が上ガイド溝４２Ｄ内で下端に到達すると、本実施の形態における仮閉塞状態（図１０）に相当する閉塞状態となる。
【００６８】
シャッタ開閉部４０は、その構造上、閉塞状態であっても接客パネル１０のカード入出口４からシャッタ板２１の一部を露出させている。このためシャッタ開閉部４０は、仮に利用者がカード入出口４を介して指先をシャッタ板２１の前面に当接させ、そのまま指先を上方へ持ち上げた場合、摩擦力の作用により当該シャッタ板２１に対し上向きの力を作用させる。このときシャッタ開閉部４０では、リンク移動スタッド２７が上ガイド溝４２Ｄに沿って上方向へ移動できるため、この上向きの力によってシャッタ板２１が上方へ移動され、カード入出口４が開放されてしまう。
【００６９】
すなわち従来のシャッタ開閉部４０では、閉塞状態にありシャッタ板２１によってカード入出口４を閉塞していたとしても、利用者が誤解等によりシャッタ板２１に対し指先等で上方向に力を作用させた場合、当該シャッタ板２１を上昇させてカード入出口４を開放させ得る。この場合シャッタ開閉部４０は、カード処理ユニット１１（図３）が運用位置に無いにも拘わらずカード入出口４からキャッシュカードを挿入できてしまい、挿入されたキャッシュカード等を筐体２内に落下させる等の問題を引き起こす恐れがあった。
【００７０】
これに対し本実施の形態によるシャッタ開閉部２０は、上ガイド溝２２Ｄを上下移動区間２２Ｄ１及び前後移動区間２２Ｄ２により構成したため、カード処理ユニット１１の運用位置からの後方への移動に伴い、開放状態（図８）から中間状態（図９）及び仮閉塞状態（図１０）を経て本閉塞状態（図１１）に遷移する。
【００７１】
このシャッタ開閉部２０は、本閉塞状態（図１１）において、上ガイド溝２２Ｄの前後移動区間２２Ｄ２により、リンク移動スタッド２７の移動可能な方向を前方向のみに規制している。このためシャッタ開閉部２０は、仮に利用者がカード入出口４を介して指先をシャッタ板２１の前面に当接させ、そのまま指先を上方へ持ち上げたとしても、当該シャッタ板２１の上方向への移動を規制し、閉塞状態を維持することができる。
【００７２】
またシャッタ開閉部２０は、本閉塞状態（図１１）において、カード入出口４の後側にシャッタ板２１を位置させているため、利用者の指先から力を加えられる可能性がある方向が後方向、上下方向及び左右方向であるところ、上ガイド溝２２Ｄの前後移動区間２２Ｄ２により、この全ての方向への移動を規制することができる。
【００７３】
これを換言すれば、シャッタ開閉部２０は、本閉塞状態において利用者がシャッタ板２１に対し指先によって力を加えることができない唯一の方向である前方向を、リンク移動スタッド２７が唯一移動可能な方向とすることで、利用者による不用意なシャッタの開放を確実に防止することができる。
【００７４】
またシャッタ開閉部２０は、本閉塞状態（図１１）において、アップリンク２３の大部分が回動スタッド２４の後方に位置しているため、重力の作用によりリンク体２５を介しリンク移動スタッド２７に対し後方へ向かう力を加え続けている。このためシャッタ開閉部２０は、リンク移動スタッド２７を上ガイド溝２２Ｄの前後移動区間２２Ｄ２における後端部分に積極的に止めておくことができ、シャッタ板２１に対し前方向へ比較的小さな力が作用したとしても、本閉塞状態を維持することができる。
【００７５】
ところでシャッタ開閉部２０は、開放状態（図８）から中間状態（図９）を介して仮閉塞状態（図１０）に至る際に、シャッタ板２１の自重により、リンク移動スタッド２７を上ガイド溝２２Ｄの上下移動区間２２Ｄ１（図７）に沿って容易に下方向へ移動させ得る。しかしながらシャッタ開閉部２０は、前後移動区間２２Ｄ２（図７）においては重力の作用方向と進行方向が相違するため、当該シャッタ板２１の自重を後方向への移動に利用することができない。
【００７６】
この点においてシャッタ開閉部２０は、仮閉塞状態（図１０）から本閉塞状態（図１１）へ遷移する際、アップリンク２３からリンク体２５を介してリンク移動スタッド２７に作用する力の方向が後下方向である。すなわちシャッタ開閉部２０は、上ガイド溝２２Ｄの前後移動区間２２Ｄ２が前後方向に沿って形成されているため、この力のうち後方向成分を利用することができ、当該リンク移動スタッド２７を後方向へ容易に移動させることができる。
【００７７】
一方、シャッタ開閉部２０は、保守作業等が終了してカード処理ユニット１１が前方へ移動されると、アップリンク２３及びリンク体２５を介してリンク移動スタッド２７が前方へ移動され、仮閉塞状態（図１０）に戻る。これを換言すれば、シャッタ開閉部２０は、本閉塞状態においてリンク移動スタッド２７が移動し得る方向を、カード処理ユニット１１からアップリンク２３及びリンク体２５を介してリンク移動スタッド２７に力が加えられる方向である前上方向に近い前方向とした。
【００７８】
このためシャッタ開閉部２０は、カード処理ユニット１１が運用位置（図３（Ａ））に戻ろうとしてスライドレール１１Ｒにより前方向へ向かう際にアップリンク２３を介して加えられる前方向への力を、そのままリンク移動スタッド２７に作用させることで、本閉塞状態から仮閉塞状態へ容易に遷移させることができる。
【００７９】
以上の構成によれば、現金自動預払機１のシャッタ開閉部２０は、上下方向に沿った上下移動区間２２Ｄ１及び前後方向に沿った前後移動区間２２Ｄ２を有する上ガイド溝２２Ｄをガイドフレーム２２に形成し、シャッタ板２１の上端近傍に取り付けたリンク移動スタッド２７を当該上ガイド溝２２Ｄに沿って移動させるようにした。シャッタ開閉部２０は、カード処理ユニット１１が後方へ移動した際、リンク移動スタッド２７を上下移動区間２２Ｄ１に沿って下降させた後、前後移動区間２２Ｄ２に沿って後方へ移動させることで本閉塞状態に遷移し、シャッタ板２１の移動可能な方向を前方向のみに制限できるので、利用者の指先により不用意に開放されてしまうことを防止できる。
【００８０】
［５．他の実施の形態］
なお上述した実施の形態においては、上ガイド溝２２Ｄにのみ、前後方向に沿った前後移動区間２２Ｄ２を設ける場合について述べた。しかしながら本発明はこれに限らず、例えば図１３に示すシャッタ開閉部６０のように、ガイドフレーム６２に形成する上ガイド溝６２Ｄ及び下ガイド溝６２Ｅの双方において、下端から後方へ向けて前後移動区間６２Ｄ２及び６２Ｅ２をそれぞれ形成しても良い。また、ガイドフレームに３本以上のガイド溝を形成する場合に、１本以上のガイド溝の下端に、後方へ向けて前後移動区間を形成しても良い。
【００８１】
また上述した実施の形態においては、開放状態においてシャッタ板２１をカード入出口４の上方に退避させておき（図８）、カード処理ユニット１１の後方への移動に伴い、シャッタ板２１及びアップリンク２３に作用する重力を利用して当該シャッタ板２１を下降させる場合について述べた。
【００８２】
しかしながら本発明はこれに限らず、例えば各種スプリングのような付勢部材を用いてアップリンク２３やリンク体２５等に対し接触部２３Ｅが常に下方ないし後方へ向かうよう付勢するようにしても良い。これにより、本閉塞状態（図１１）において、シャッタ板２１に対しある程度の大きさの前方向へ向かう力が加えられたとしても、後方へ付勢されていることにより、この本閉塞状態を維持することができる。
【００８３】
また、例えば図１４（Ａ）及び（Ｂ）に示すシャッタ開閉部８０のように、シャッタ開閉部２０の構成をほぼ上下反転させて開放状態においてシャッタ板８１をカード入出口４の下方に退避させておくと共に、アップリンク８３に対しトーションスプリングでなるスプリング８９の力を作用させるようにしても良い。この場合、スプリング８９は、復元力を作用させることにより、アップリンク８３に対し矢印Ｒ１方向へ向かう力を作用させ、シャッタ板２１を上方向へ持ち上げることができる。
【００８４】
さらに上述した実施の形態においては、開放状態においてシャッタ板２１をカード入出口４の上側に退避して開放させ、カード処理ユニット１１の後方への移動に伴い当該シャッタ板２１を下降させてカード入出口４を閉塞させる場合について述べた。
【００８５】
しかしながら本発明はこれに限らず、例えば図１４に示したようにカード入出口４の下側へ退避させるようにしても良く、或いはカード入出口４の左側や右側等、カード入出口４におけるカードの入出方向である前後方向と交差する何れかの方向へ退避させて、当該カード入出口４を開放しても良い。これらの場合、シャッタ板を案内するガイド溝に、当該シャッタ板を開閉させるための移動方向（上下方向や左右方向）に沿った移動区間に加えて、この移動方向とは異なる前後方向に沿った前後移動区間を形成すれば良い。
【００８６】
さらに上述した実施の形態においては、ガイドフレーム２２に上ガイド溝２２Ｄ及び下ガイド溝２２Ｅといった２本のガイド溝を形成する場合について述べた。しかしながら本発明はこれに限らず、ガイドフレーム２２に１本又は３本以上のガイド溝を形成しても良い。
【００８７】
すなわち本発明では、シャッタ板２１を上下方向に移動させるガイド溝の少なくとも１本に、当該上下方向と交差しアップリンク２３からリンク体２５を介して力が加えられる方向（例えば後方向）に沿った部分が形成され、このガイド溝に沿ってリンク移動スタッドを移動させることにより、本閉塞状態においてシャッタ板２１の開閉方向への移動を制限できれば良い。
【００８８】
さらに上述した実施の形態においては、ガイドフレーム２２に上ガイド溝２２Ｄ及び下ガイド溝２２Ｅを設け、シャッタ板２１に固定されたリンク移動スタッド２７及び下スタッド２１Ｄを各ガイド溝に沿って移動させる場合について述べた。しかしながら本発明はこれに限らず、例えばシャッタ板２１の側板部２１Ｂにガイド溝を設け、ガイドフレーム２２にスタッドを立設し、このスタッドにガイド溝を沿わせるようにしてシャッタ板２１を移動させても良い。
【００８９】
さらに上述した実施の形態においては、リンク機構として構成された連動部２８により、アップリンク２３の回動によって生じた力をシャッタ板２１に伝達して上下方向へ移動させる場合について述べた。しかしながら本発明はこれに限らず、例えばギアやベルト等、周知の機構を適宜組み合わせて構成した連動部により、アップリンク２３の回動によって生じた力をシャッタ板２１に伝達するようにしても良い。
【００９０】
さらに上述した実施の形態においては、接客パネル１０のカード入出口４にシャッタ開閉部２０を設ける場合について述べた。しかしながら本発明はこれに限らず、例えば接客パネル１０の通帳入出口５や、自動販売機における紙幣投入口等、種々の装置において恒常的に利用者に面する部分に形成された種々の貫通孔にシャッタ開閉部２０を設けても良い。
【００９１】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【００９２】
さらに上述した実施の形態においては、シャッタとしてのシャッタ板２１と、連動部としての連動部２８と、制限部としての上ガイド溝２２Ｄの前後移動区間２２Ｄ２とによってシャッタ開閉装置としてのシャッタ開閉部２０を構成する場合について述べた。しかしながら本発明はこれに限らず、その他種々の構成でなるシャッタと、連動部と、制限部とによってシャッタ開閉装置を構成しても良い。
【００９３】
さらに上述した実施の形態においては、対峙パネルとしての接客パネル１０と、貫通孔としてのカード入出口４と、媒体授受部としてのカード処理ユニット１１と、移動部としてのスライドレール１１Ｒと、シャッタとしてのシャッタ板２１と、連動部としての連動部２８と、制限部としての前後移動区間２２Ｄ２とによって媒体授受装置としての現金自動預払機１を構成する場合について述べた。しかしながら本発明はこれに限らず、その他種々の構成でなる対峙パネルと、貫通孔と、媒体授受部と、移動部と、シャッタと、連動部と、制限部とによって媒体授受装置を構成しても良い。
【産業上の利用可能性】
【００９４】
本発明は、利用者との間で種々の媒体を授受するユニットを筐体内に内蔵する種々の装置でも利用できる。
【符号の説明】
【００９５】
１……現金自動預払機、２……筐体、４……カード入出口、５……通帳入出口、１０……接客パネル、１０Ｌ……下部接客パネル、１０Ｕ……上部接客パネル、１１……カード処理ユニット、１１Ｃ……カム部、１１Ｒ……スライドレール、１２……通帳処理ユニット、２０、４０、６０、８０……シャッタ開閉部、２１、８１……シャッタ板、２１Ｃ……スタッド受け孔、２１Ｄ……下スタッド、２２、４２、６２、８２……ガイドフレーム、２２Ｄ、４２Ｄ、６２Ｄ……上ガイド溝、２２Ｄ１……上下移動区間、２２Ｄ２……前後移動区間、２２Ｅ、６２Ｅ……下ガイド溝、２２Ｆ……回動孔、２３、８３……アップリンク、２３Ｅ……接触部、２４……回動スタッド、２５……リンク体、２５Ａ……リンク孔、２５Ｂ……リンク孔、２６……リンク回動スタッド、２７……リンク移動スタッド、２８……連動部、８９……スプリング。
【図１】
2015176290.tif 000003
【図２】
2015176290.tif 000004
【図３】
2015176290.tif 000005
【図４】
2015176290.tif 000006
【図５】
2015176290.tif 000007
【図６】
2015176290.tif 000008
【図７】
2015176290.tif 000009
【図８】
2015176290.tif 000010
【図９】
2015176290.tif 000011
【図１０】
2015176290.tif 000012
【図１１】
2015176290.tif 000013
【図１２】
2015176290.tif 000014
【図１３】
2015176290.tif 000015
【図１４】
2015176290.tif 000016